(57)【要約】      （修正有）【課題】動物の個体識別及び予防接種履歴を管理する動物個体の管理方法において、動物に関係する様々な人や組織との間で、動物の個体識別とその関係する情報とを相互に連係させながら、かつ適切な情報管理に寄与する動物個体管理の方法とそのシステムを提供する。【解決手段】固有の識別符号を記録した識別符号記憶媒体を動物の各個体に予め装着した後Ｓ０、識別符号と動物の帰属に係る帰属情報をサーバ装置に送信して記録するＳ３。予防接種を行う際に、識別符号記憶媒体から読み取った識別符号と、予防接種に係る予防接種履歴とをサーバ装置に送信して記録するＳ５、Ｓ６。第１のアクセス権限により動物の識別符号についての照会を受けた場合にはＳ７、対応する帰属情報を返信するＳ９一方、第２のアクセス権限により動物の識別符号についての照会を受けた場合にはＳ１０、対応する予防接種履歴を返信するように構成する。【選択図】図２
2015208234.tif 000002
【特許請求の範囲】
【請求項１】
少なくとも動物の個体識別及び予防接種履歴を管理する動物個体管理方法であって、
固有の識別符号を記録した識別符号記憶媒体を動物の各個体に予め装着した後、
少なくとも動物の帰属に係る帰属情報を第1端末装置が受理するステップ、
該第1端末装置が、該識別符号と該帰属情報とをネットワーク回線を通じてサーバ装置に送信するステップ、
該サーバ装置が、受信した該識別符号と該帰属情報とを関連付けてデータベースに記録する帰属情報記録ステップ、
各個体に予防接種を行う際に、該識別符号記憶媒体から読み取った識別符号と、予防接種に係る予防接種履歴とを第２端末装置が受理するステップ、
該第２端末装置が、該識別符号と該予防接種履歴とをネットワーク回線を通じてサーバ装置に送信するステップ、
該サーバ装置が、受信した該予防接種履歴を、該データベースにおける対応する該識別符号のレコードに記録するステップ、
の各ステップを有すると共に、所定の契機において、
該サーバ装置が、第３端末装置からネットワーク回線を通じて第１のアクセス権限により動物の識別符号についての照会を受けた場合には、対応する該帰属情報を該第３端末装置に返信すると共に、
該サーバ装置が、第４端末装置からネットワーク回線を通じて第２のアクセス権限により動物の識別符号についての照会を受けた場合には、対応する該予防接種履歴を該第４端末装置に返信する
ことを特徴とする動物個体管理方法。
【請求項２】
前記サーバ装置において、
前記第３端末装置及び前記第４端末装置の各端末識別符号を予め記憶し、ネットワーク回線を通じた照会が、
第３端末装置からの場合には前記第１のアクセス権限による照会、
第４端末装置からの場合には前記第２のアクセス権限による照会
とそれぞれ見なして返信を行う請求項１に記載の動物個体管理方法。
【請求項３】
前記動物個体管理方法において、
前記帰属情報に少なくとも所有者の氏名及び住所を含み、
前記サーバ装置が、該識別符号と該帰属情報とを識別符号管理機関のサーバ装置に送信する
請求項１又は２に記載の動物個体管理方法。
【請求項４】
前記動物個体管理方法において、
前記帰属情報に少なくとも所有者の氏名及び住所を含み、
前記サーバ装置が、該帰属情報と前記予防接種履歴の内、少なくとも法定接種に係る予防接種履歴とを予防接種管理機関のサーバ装置に送信する
請求項１ないし３のいずれかに記載の動物個体管理方法。
【請求項５】
前記動物個体管理方法において、
前記帰属情報に帰属先のネットワーク回線におけるアドレス情報を含み、
前記サーバ装置が、帰属先の各アドレス情報に前記予防接種履歴に応じて予防接種の事前通知を送信する
請求項１ないし４のいずれかに記載の動物個体管理方法。
【請求項６】
前記データベースにおいて
前記識別符号と関連付けて、当該個体に係る種類、性別、及び年齢に係る生体情報を記録する
請求項１ないし５のいずれかに記載の動物個体管理方法。
【請求項７】
前記動物個体管理方法において、前記帰属情報記録ステップの後のいずれかの時点において、
医療施設端末装置が、前記識別符号記憶媒体から読み取った識別符号と、当該個体に係る投薬履歴、疾病履歴、避妊去勢手術履歴、診察履歴、給餌履歴の少なくともいずれかの医療履歴情報を受理するステップ、
該医療施設端末装置が、該識別符号と該医療履歴情報とをネットワーク回線を通じてサーバ装置に送信するステップ、
該サーバ装置が、受信した該識別符号と該医療履歴情報とを関連付けてデータベースに記録する医療履歴情報記録ステップ
の各ステップの後の所定の契機において、
該サーバ装置が、該医療施設端末装置からネットワーク回線を通じて第３のアクセス権限により動物の識別符号についての照会を受けた場合には、対応する該医療履歴情報を医療施設端末装置に返信する
請求項１ないし６のいずれかに記載の動物個体管理方法。
【請求項８】
前記動物個体管理方法において、前記帰属情報記録ステップの後のいずれかの時点において、
保険用端末装置が、前記識別符号記憶媒体から読み取った識別符号と、当該個体に係る保険の保険加入情報を受理するステップ、
該保険用端末装置が、該識別符号と該保険加入情報とをネットワーク回線を通じてサーバ装置に送信するステップ、
該サーバ装置が、受信した該識別符号と該保険加入情報とを関連付けてデータベースに記録する帰属情報記録ステップ
の各ステップの後の所定の契機において、
該サーバ装置が、該保険用端末装置からネットワーク回線を通じて第４のアクセス権限により動物の識別符号についての照会を受けた場合には、対応する該保険加入情報を保健用端末装置に返信する
請求項１ないし７のいずれかに記載の動物個体管理方法。
【請求項９】
前記サーバ装置が、前記保険用端末装置からネットワーク回線を通じて第４のアクセス権限により動物の識別符号についての照会を受けた場合には、対応する前記保険加入情報と共に前記医療履歴情報を保険用端末装置に返信する
請求項７および８に記載の動物個体管理方法。
【請求項１０】
請求項１に記載の動物個体管理方法を用いた課金方法であって、
獣医師が用いる前記第２端末装置から、識別符号記憶媒体を装着した特定の動物について新たな予防接種履歴が送信され、前記サーバ装置が新しい予防接種履歴を受信すると該獣医師への予防接種費用支払データを生成すると共に、
該サーバ装置が、予防接種管理機関のサーバ装置に、識別符号と予防接種履歴を送信すると共に、該予防接種管理機関への予防接種管理機関支払データを生成する
ことを特徴とする動物個体管理方法を用いた課金方法。
【請求項１１】
請求項３に記載の動物個体管理方法を用いた課金方法であって、
動物販売業者が用いる前記第１端末装置から、識別符号記憶媒体を装着した特定の動物について新所有者の情報で前記帰属情報が送信され、前記サーバ装置が新しい帰属情報を受信すると該動物販売業者に対する販売業者課金データを生成すると共に、
該サーバ装置が、識別符号管理機関のサーバ装置に、識別符号と帰属情報とを送信すると共に、該識別符号管理機関への識別符号管理機関支払データを生成する
ことを特徴とする動物個体管理方法を用いた課金方法。
【請求項１２】
請求項４に記載の動物個体管理方法を用いた課金方法であって、
動物販売業者が用いる前記第１端末装置から、識別符号記憶媒体を装着した特定の動物について新所有者の情報を前記帰属情報が送信され、前記サーバ装置が新しい帰属情報を受信すると該動物販売業者に対する販売業者課金データを生成すると共に、
該サーバ装置が、予防接種管理機関のサーバ装置に、識別符号と予防接種履歴を送信すると共に、該予防接種管理機関への予防接種管理機関支払データを生成する
ことを特徴とする動物個体管理方法を用いた課金方法。
【請求項１３】
少なくとも動物の個体識別及び予防接種履歴を管理する動物個体管理システムであって、
各動物に固有の識別符号を記録した識別符号記憶媒体と、
少なくとも動物の帰属に係る帰属情報を受理し、該識別符号と該帰属情報とをネットワーク回線を通じてサーバ装置に送信する第1端末装置と、
各個体に予防接種を行う際に、該識別符号記憶媒体から読み取った識別符号と、予防接種に係る予防接種履歴とを受理し、該識別符号と該予防接種履歴とをネットワーク回線を通じてサーバ装置に送信する第２端末装置と、
受信した該予防接種履歴を、該データベースにおける対応する該識別符号のレコードに記録したデータベースを備えるサーバ装置とを備え、
該サーバ装置が、少なくとも２種類のアクセス権限による認証手段を備え、該認証手段が、第３端末装置からネットワーク回線を通じて第１のアクセス権限により動物の識別符号についての照会を受けて認証を行った場合には、対応する該帰属情報を該第３端末装置に返信すると共に、
第４端末装置からネットワーク回線を通じて第２のアクセス権限により動物の識別符号についての照会を受けて認証を行った場合には、対応する該予防接種履歴を該第４端末装置に返信する
ことを特徴とする動物個体管理システム。
【発明の詳細な説明】
【技術分野】
【０００１】
本発明は、少なくとも動物の個体識別及び予防接種履歴を管理する動物個体管理方法お及びシステムと、この方法を用いた課金方法に関する。
【背景技術】
【０００２】
動物愛護管理法では、販売の用に供せられる犬、猫等にマイクロチップを装着することについて、研究開発の推進や、装着に関する啓発等について規定している。法施行以後、全国の自治体でリーダーの設置、マイクロチップ読み取り体制の整備が急速に進んでいる。
マイクロチップは、直径約２ｍｍ、長さ約１２ｍｍの円筒形のガラスのカプセルで包まれた電子機器である。マイクロチップの中には、個体識別番号が書かれた機能や、アンテナの役割を果たすコイル等が収めてあり、専用のリーダーを使って読むものである。
【０００３】
マイクロチップには、国・メーカーコード、動物種コード、個体番号等が組み合わされた固有の個体識別番号が標識されている。マイクロチップを埋込んだ動物とその飼い主のデータは現在日本獣医師会のデータベースで管理されており、マイクロチップを埋込んだ動物が発見された時には、読みとった個体識別番号をデータベースに照会することによって、即座に飼い主の電話番号等の検索が可能で、飼い主に連絡をとることができる体制が整えられている。
また、マイクロチップは特定外来生物・特定（危険）動物について法律で装着が義務づけられており、犬猫以外についても個体識別の方法として用いられている。
【０００４】
一方、マイクロチップの利用は所有者を明らかにする方法として認識されているものの、その他の活用は十分に図られていない。例えば、犬に対しては狂犬病ワクチンの予防接種が義務づけられているが、マイクロチップの所有者情報とは別に在住する自治体に登録を行い、その登録情報に従って予防接種の案内を送付したり接種済みの有無を管理している。接種した犬には鑑札や注射済票の装着が義務づけられているものの装着率は低迷している。そのため、犬を保護した場合にもその犬が接種済みであるか否かを確認する手立てがないのが実情である。
【０００５】
このように動物の個体識別と様々なデータベースとの連係は必要とされており、上述のマイクロチップはこの手段として明らかに有用であるが、実際にはその活用が進んでいない。その原因の一つは、所有者情報が個人情報に属するため個体の識別符号と情報とを関連付けたデータベースの使用が特定のマイクロチップ管理団体以外に拡大することが難しいことにある。
【０００６】
特許文献１には、クライアント端末、動物情報サーバ及びサービス提供者端末により動物の個体管理を支援する動物個体管理支援システムであって、動物情報サーバに個体管理情報及び生活情報を有する動物情報を登録すると共に、サービス提供者が動物に対して所定のサービスを提供した際には、動物情報サーバの生活情報を更新する技術が開示されている。
【０００７】
特許文献２には、ペットを同伴した顧客が、互いに連携した複数のペット関連店舗のいずれに来店した場合においても、顧客による過去の店舗利用実績を考慮した店舗側への能動的かつタイムリーな情報提供が可能な情報提供システムを提案しており、マイクロチップに書き込まれている個体識別コードと一対一に対応付けた形で情報提供サーバに記憶蓄積する技術が開示されている。
【０００８】
特許文献３には、ユニット識別子と行政機関等が管理用に登録した個体識別子と個体情報を記憶するメモリを備える個体認識ユニットを用いてペットを管理するペット管理システムが提案されている。本システムでは、外部から入力した個体識別子とメモリに記憶した個体識別子との対応が一致するか否かを判定し、一致すると判定したとき、外部からの個体情報の読み出しを許可する。これにより、ペット個体と個体情報との一致を確保した上で、ペットホテル・動物病院・ペット保険業者等において、個体情報に含まれるペットの種別・健康情報・病歴情報を読み出すことや、健康情報・保険情報を登録することのできるシステムを提供している。
【先行技術文献】
【特許文献】
【０００９】
【特許文献１】特開２００８−２１７５７８号公報
【特許文献２】特開２００９−１１０４２１号公報
【特許文献３】特開２０１０−２２０５０６号公報
【発明の概要】
【発明が解決しようとする課題】
【００１０】
上記従来技術においても、個体の識別符号に記録された所有者情報と予防接種の履歴等とを一元的に管理する方法は提供されておらず、この点は上述したような個人情報の保護や各管理機関が保持する情報へのアクセス権の管理の難しさに起因している。
【００１１】
本発明は、動物の個体識別及び予防接種履歴を管理する動物個体の管理方法において、動物に関係する様々な人や組織との間で、動物の個体識別とその関係する情報とを相互に連係させながら、かつ適切な情報管理に寄与する動物個体管理の方法とそのシステムを提供することを目的とする。
【課題を解決するための手段】
【００１２】
上記課題を解決するため、本発明は次のような動物個体管理方法を提供する。
すなわち、少なくとも動物の個体識別及び予防接種履歴を管理する動物個体管理方法であって、固有の識別符号を記録した識別符号記憶媒体を動物の各個体に予め装着した後、次の各ステップを有する。
（Ｓ１）少なくとも動物の帰属に係る帰属情報を第1端末装置が受理するステップ、
（Ｓ２）第1端末装置が、識別符号と帰属情報とをネットワーク回線を通じてサーバ装置に送信するステップ、
（Ｓ３）サーバ装置が、受信した識別符号と帰属情報とを関連付けてデータベースに記録する帰属情報記録ステップ、
（Ｓ４）各個体に予防接種を行う際に、識別符号記憶媒体から読み取った識別符号と、予防接種に係る予防接種履歴とを第２端末装置が受理するステップ、
（Ｓ５）第２端末装置が、識別符号と予防接種履歴とをネットワーク回線を通じてサーバ装置に送信するステップ、
（Ｓ６）サーバ装置が、受信した予防接種履歴を、データベースにおける対応する識別符号のレコードに記録するステップ。
【００１３】
そして、所定の契機において、サーバ装置が、第３端末装置からネットワーク回線を通じて第１のアクセス権限により動物の識別符号についての照会を受けた場合には、対応する帰属情報を第３端末装置に返信する。
一方、所定の契機において、サーバ装置が、第４端末装置からネットワーク回線を通じて第２のアクセス権限により動物の識別符号についての照会を受けた場合には、対応する予防接種履歴を第４端末装置に返信することを特徴とする。
【００１４】
上記のサーバ装置において、第３端末装置及び第４端末装置の各端末識別符号を予め記憶し、ネットワーク回線を通じた照会が、第３端末装置からの場合には第１のアクセス権限による照会、第４端末装置からの場合には第２のアクセス権限による照会とそれぞれ見なして返信を行う構成でもよい。
【００１５】
本発明に係る動物個体管理方法において、帰属情報に少なくとも所有者の氏名及び住所を含み、サーバ装置が、識別符号と帰属情報とを識別符号管理機関のサーバ装置に送信する構成でもよい。
【００１６】
上記動物個体管理方法において、帰属情報に少なくとも所有者の氏名及び住所を含み、サーバ装置が、帰属情報と予防接種履歴の内、少なくとも法定接種に係る予防接種履歴とを予防接種管理機関のサーバ装置に送信するようにしてもよい。
【００１７】
また、帰属情報に帰属先のネットワーク回線におけるアドレス情報を含み、サーバ装置が、帰属先の各アドレス情報に予防接種履歴に応じて予防接種の事前通知を送信する構成でもよい。
【００１８】
上記動物個体管理方法において、データベースにおいて識別符号と関連付けて、当個体に係る種類、性別、及び年齢に係る生体情報を記録してもよい。
【００１９】
本発明の動物個体管理方法において、（Ｓ３）帰属情報記録ステップの後のいずれかの時点において、
（Ｓ３１）医療施設端末装置が、識別符号記憶媒体から読み取った識別符号と、当個体に係る投薬履歴、疾病履歴、避妊去勢手術履歴、診察履歴、給餌履歴の少なくともいずれかの医療履歴情報を受理するステップ、
（Ｓ３２）医療施設端末装置が、識別符号と医療履歴情報とをネットワーク回線を通じてサーバ装置に送信するステップ、
（Ｓ３３）サーバ装置が、受信した識別符号と医療履歴情報とを関連付けてデータベースに記録する医療履歴情報記録ステップ、
の各ステップを行い、その後の所定の契機において、サーバ装置が、医療施設端末装置からネットワーク回線を通じて第３のアクセス権限により動物の識別符号についての照会を受けた場合には、対応する医療履歴情報を医療施設端末装置に返信する構成でもよい。
【００２０】
また、（Ｓ３）帰属情報記録ステップの後のいずれかの時点において、
（Ｓ４１）保険用端末装置が、識別符号記憶媒体から読み取った識別符号と、当個体に係る保険の保険加入情報を受理するステップ、
（Ｓ４２）保険用端末装置が、識別符号と保険加入情報とをネットワーク回線を通じてサーバ装置に送信するステップ、
（Ｓ４３）サーバ装置が、受信した識別符号と保険加入情報とを関連付けてデータベースに記録する帰属情報記録ステップ
の各ステップを行い、その後の所定の契機において、サーバ装置が、保険用端末装置からネットワーク回線を通じて第４のアクセス権限により動物の識別符号についての照会を受けた場合には、対応する保険加入情報を保健用端末装置に返信する構成でもよい。
【００２１】
サーバ装置が、保険用端末装置からネットワーク回線を通じて第４のアクセス権限により動物の識別符号についての照会を受けた場合には、対応する保険加入情報と共に医療履歴情報を保険用端末装置に返信するようにしてもよい。
【００２２】
本発明は、上記の動物個体管理方法を用いた課金方法であって、獣医師が用いる第２端末装置から、識別符号記憶媒体を装着した特定の動物について新たな予防接種履歴が送信され、サーバ装置が新しい予防接種履歴を受信すると獣医師への予防接種費用支払データを生成すると共に、サーバ装置が、予防接種管理機関のサーバ装置に、識別符号と予防接種履歴を送信すると共に、予防接種管理機関への予防接種管理機関支払データを生成することを特徴とする動物個体管理方法を用いた課金方法を提供することもできる。
【００２３】
上記の動物個体管理方法を用いた課金方法であって、動物販売業者が用いる第１端末装置から、識別符号記憶媒体を装着した特定の動物について新所有者の情報で帰属情報が送信され、サーバ装置が新しい帰属情報を受信すると動物販売業者に対する販売業者課金データを生成すると共に、サーバ装置が、識別符号管理機関のサーバ装置に、識別符号と帰属情報とを送信すると共に、識別符号管理機関への識別符号管理機関支払データを生成する構成でもよい。
【００２４】
上記の課金方法において、動物販売業者が用いる第１端末装置から、識別符号記憶媒体を装着した特定の動物について新所有者の情報を帰属情報が送信され、サーバ装置が新しい帰属情報を受信すると動物販売業者に対する販売業者課金データを生成すると共に、サーバ装置が、予防接種管理機関のサーバ装置に、識別符号と予防接種履歴を送信すると共に、予防接種管理機関への予防接種管理機関支払データを生成する構成でもよい。
【００２５】
本発明は、少なくとも動物の個体識別及び予防接種履歴を管理する動物個体管理システムを提供することもできる。
各動物に固有の識別符号を記録した識別符号記憶媒体と、少なくとも動物の帰属に係る帰属情報を受理し、識別符号と帰属情報とをネットワーク回線を通じてサーバ装置に送信する第1端末装置と、各個体に予防接種を行う際に、識別符号記憶媒体から読み取った識別符号と、予防接種に係る予防接種履歴とを受理し、識別符号と予防接種履歴とをネットワーク回線を通じてサーバ装置に送信する第２端末装置と、受信した予防接種履歴を、データベースにおける対応する識別符号のレコードに記録したデータベースを備えるサーバ装置とを備え、サーバ装置が、少なくとも２種類のアクセス権限による認証手段を備え、認証手段が、第３端末装置からネットワーク回線を通じて第１のアクセス権限により動物の識別符号についての照会を受けて認証を行った場合には、対応する帰属情報を第３端末装置に返信すると共に、第４端末装置からネットワーク回線を通じて第２のアクセス権限により動物の識別符号についての照会を受けて認証を行った場合には、対応する予防接種履歴を第４端末装置に返信することを特徴とする。
【発明の効果】
【００２６】
本発明は、以上の構成を備えることにより、動物の個体識別と予防接種履歴を関連付けた動物個体管理方法及びシステムを提供することができる。予防接種履歴が的確に管理されるので、動物の健康管理や伝染病予防に寄与する。また、本システムにアクセスする端末装置に応じて、その端末装置の属する権限に応じた情報の管理を行うので、複数の組織で横断的に利用可能なシステムを提供すると共に、個人情報の保護を図ることもできる。
【００２７】
予防接種履歴に限らず、個体識別と動物に関連する様々な情報を扱うこともできる。例えば、動物の個体に係る種類、性別、及び年齢に係る生体情報を蓄積することで、保険の加入時に個体を明確にしたり、治療時にも生体情報を活用することができる。さらに、投薬履歴、疾病履歴、避妊去勢手術履歴、診察履歴、給餌履歴などの情報を関連付ければ、医療機関等において治療に有用な情報を提供することができる。
【００２８】
本発明は動物個体管理方法を用いた課金方法も提供する。飼い主や獣医師、その他の機関の間で個体識別と関連付けられる情報の管理に係る費用、予防接種費用などを円滑に課金するシステムを提供することができ、同時に本発明に係る情報の横断的な管理を可能にする。
【図面の簡単な説明】
【００２９】
【図１】本発明に係る動物個体管理システムの構成図である。
【図２】本発明に係る動物個体管理方法のフローチャートである。
【図３】本発明に係る第１、第２端末装置の構成図である。
【図４】本発明に係る第３、第４端末装置の構成図である。
【図５】本発明に係る動物個体管理サーバの構成図である。
【図６】本発明に係る予防接種通知のフローチャートである。
【図７】本発明に係る医療履歴情報登録のフローチャートである。
【図８】本発明に係る保険加入情報登録のフローチャートである。
【図９】本発明に係る動物個体管理方法を用いた課金方法の説明図である。
【図１０】本発明に係る動物個体管理方法を用いた課金方法のフローチャートである。
【図１１】本発明に係る動物個体管理方法を用いた課金方法のフローチャートである。
【発明を実施するための形態】
【００３０】
以下、本発明の実施形態を、図面に示す実施例を基に説明する。なお、実施形態は下記に限定されるものではない。
図１は、本発明に係る動物個体管理システム（以下、本システムと呼ぶ。）（１）の構成図、図２は動物個体管理方法のフローチャートである。
【００３１】
本システム（１）は、少なくとも動物の個体識別及び予防接種履歴を管理するためのシステムであって、本発明の核となる動物個体管理サーバ（以下、サーバ装置と呼ぶ。）（１０）と飼い主（２）や獣医師（３）などの端末装置、さらに識別符号動物に固有の識別符号を管理する識別符号管理機関のサーバ（４）や、予防接種を管理する管理機関のサーバ（５）との間で、識別符号に係る情報を適切に通信することを可能にする。
【００３２】
本発明の方法は、事前に固有の識別符号を記録した識別符号記憶媒体を動物の各個体に装着しておくことを前提とする。識別符号記憶媒体としては犬や猫等に装着しているマイクロチップなどを想定しているが、コンピュータで読み取り可能な識別符号を記録する媒体であれば任意である。例えば、牛の個体識別番号を記録している耳標などでもよい。また、首輪など取り外し可能なものであっても動物の個体と個体識別番号とが別の手段によって関連づけられれば、識別符号記憶媒体として用いることができる。
【００３３】
本実施例ではマイクロチップ（ＭＣ）を例として説明する。周知のように動物用のマイクロチップには１５桁の固有の番号情報（ＭＣ番号）が記録されており、その番号情報がＲＦＩＤ形式で発信されている。すなわち、リーダー装置をＭＣに近づけることで識別符号を読み取ることができる。
【００３４】
現在の一般的な手順としては、ペットショップなどの生体販売会社で飼い主である所有者が決まると、獣医師がＭＣを装着し、識別符号管理機関に対して所有者の情報を登録する。
ＭＣを装着する動物病院には「動物ＩＤ情報登録」の登録申込書が用意されており、原則として所有者はその登録申込書を記入後に日本獣医師会に郵送することでデータベースへの登録が行われる。
【００３５】
迷子動物等が発見・保護された場合には、ＭＣが埋込まれていることを確認した獣医師や自治体動物愛護センターの関係者等によってインターネット上で上記データベースのデータを検索し、埋込まれたマイクロチップ番号を基に、その動物の飼い主連絡先等のデータが検索者に提供される。最終的には、動物病院等の獣医師又は自治体動物愛護センターの関係者等の検索者から所有者に連絡される体制となっている。
【００３６】
現在、日本獣医師会のデータベースには、「飼い主情報」（氏名、フリガナ、住所、電話番号、その他の緊急連絡先、ＦＡＸ番号、Ｅメールアドレス）及び「動物情報」（名前、生年月、性別、動物種、犬・ねこの種類と毛色）が登録されている。
【００３７】
一方、犬の狂犬病については狂犬病予防法によって、飼い犬の市町村への登録及び毎年1回の狂犬病ワクチンの予防接種が義務付けられている。しかしこの登録は上記のＭＣの情報管理とは統一されておらず、本発明は既存の管理組織による各体制を維持しながら、両者の情報を一元的に管理可能なシステムを提供するものである。
【００３８】
すなわち、図２に示すようにＭＣを装着（Ｓ０）した後、所有者の帰属情報を第１端末装置が帰属情報を受理する（Ｓ１）。図３は第１端末装置（２０）の構成図であり、公知の一般的なコンピュータで実現される。主要な構成としてはＣＰＵ（２１）と、キーボード、マウスなどの入力手段（２２）、インターネットなどのネットワーク（６）と接続するインターフェース（２３）に加えて、ＭＣ読取手段（２４）を備えている。
【００３９】
例えば動物病院に配置される第１端末装置（２０）において、装着されたＭＣをＭＣ読取手段（２４）で読み取ると共に、上記「飼い主情報」を入力手段（２２）を用いて入力する。これにより、第１端末装置（２０）では「ＭＣ番号」と「飼い主情報」とが対応付けされて、サーバ装置（１０）に対して送信される（Ｓ２）。
ここで本発明のネットワーク（６）はインターネットに限定されない。例えば有線回線や電話回線でもよく、任意のネットワークを用いて送信することができる。
【００４０】
図５はサーバ装置（１０）の構成図である。本サーバ装置（１０）も一般的なコンピュータによって実現されるが、主要な構成としてＣＰＵ（１１）とデータベース（１２）を記憶格納する記憶手段、インターネットなどのネットワーク（６）と接続するインターフェース（１３）を有する。
【００４１】
サーバ装置（１０）では帰属情報受信部（１１０）が、識別符号である「ＭＣ番号」と帰属情報である「飼い主情報」を受信する。そしてデータ書込・読出処理部（１１２）が識別符号と帰属情報を関連付けてデータベース（１２）に記録する。
【００４２】
本発明において、動物の各個体に予防接種を行う際に、ＭＣ（識別符号記憶媒体）から読み取ったＭＣ番号（識別符号）と、予防接種に係る予防接種履歴とを第２端末装置を用いて登録する。第２端末装置（２０）は上記図３における第１端末装置と同様の構成であり、同一符号で示す。
【００４３】
例えば狂犬病の集団接種会場に配置される第２端末装置（２０）において、装着されたＭＣをＭＣ読取手段（２４）で読み取ると共に、接種したワクチンの種別（例えば狂犬病ワクチン）と接種日、獣医師名などの情報を入力手段（２２）を用いて入力する。
【００４４】
この結果、第２端末装置（２０）はＭＣ番号と接種履歴を受理し（Ｓ４）、ＭＣ番号と接種履歴とが対応付けされて、サーバ装置（１０）に対して送信される（Ｓ５）。サーバ装置（１０）では接種履歴受信部（１１３）が、ＭＣ番号接種履歴を受信する。そしてデータ書込・読出処理部（１１２）が識別符号と接種履歴を関連付けてデータベース（１２）に記録する。
【００４５】
以上の登録手順を経て、データベース（１２）には識別符号と、帰属情報、接種履歴の３種のデータが関連付けて登録される。サーバ装置（１０）においては各情報が一元的に管理可能となる。
【００４６】
本発明はこの後の所定の契機において、サーバ装置（１０）が、第３端末装置からネットワーク回線を通じて第１のアクセス権限により動物の識別符号についての照会を受けた場合には、対応する帰属情報を第３端末装置に返信する一方で、第４端末装置からネットワーク回線を通じて第２のアクセス権限により動物の識別符号についての照会を受けた場合には、対応する予防接種履歴を第４端末装置に返信することを特徴とする。
【００４７】
図６には第３端末装置（３０）及び第４端末装置（３０）の構成図である。両端末装置の構成は同様であるから同一符号で表示する。公知の一般的なコンピュータによって実現可能であり、主要な構成としてＣＰＵ（３１）、画面表示を行う表示手段（３２）、認証情報（３５）を記憶格納する記憶手段、インターネットなどのネットワーク（６）と接続するインターフェース（３３）、ＭＣ読取手段（３４）を備えている。
【００４８】
例えば自治体動物愛護センターなどに配置される第３端末装置（３０）には第１のアクセス権限を有するＩＤとパスワードの認証情報（３５）が格納されており、第３端末装置（３０）から所有者情報を照会（Ｓ７）する場合を説明する。ＭＣ読取手段（３４）でＭＣ番号を読み取って、ネットワーク（６）を通じてサーバ装置（１０）に照会を行うと、認証処理部（１１１）が公知の認証処理によりデータベース（１２）へのアクセス権限を確認する。第１のアクセス権限の場合にはＭＣ番号と飼い主情報へのアクセスだけが許可されるので、データ書込・読出処理部（１１２）が対応する飼い主情報を読み出す（Ｓ８）。
【００４９】
第３端末装置（３０）にはデータ送信部（１１４）がネットワーク（６）を通じて飼い主情報を返信（Ｓ９）する。第３端末装置（３０）で受信した情報は、表示手段（３２）で表示したり、公知のデータ処理が行われて、利用される。
【００５０】
一方、  例えば動物病院や集団接種会場などに配置される第４端末装置（３０）には第２のアクセス権限を有するＩＤとパスワードの認証情報（３５）が格納されている。
第４端末装置（３０）のＭＣ読取手段（３４）でＭＣ番号を読み取って、ネットワーク（６）を通じてサーバ装置（１０）に接種履歴の照会（Ｓ１０）を行うと、認証処理部（１１１）がデータベース（１２）へのアクセス権限を確認する。第２のアクセス権限の場合にはＭＣ番号と接種履歴へのアクセスだけが許可されるので、データ書込・読出処理部（１１２）が対応する接種履歴を読み出す（Ｓ１１）。
【００５１】
第４端末装置（３０）にはデータ送信部（１１４）がネットワーク（６）を通じて接種履歴を返信（Ｓ１２）する。第４端末装置（３０）で受信した情報は、表示手段（３２）で表示したり、公知のデータ処理が行われて、利用される。
【００５２】
本発明のように構成すると、サーバ装置（１０）において関連付けられた帰属情報と接種履歴について、問い合わせ元に応じて提供するデータを区別することができる。一見、獣医師や自治体など信頼される機関だけが対象である限りアクセス権限による区分の必要性は高くないようにも思われるが、本来、所有権の帰属を示す飼い主の情報と、公衆衛生の観点から定められた予防接種の情報は一元的に管理されるものではなく、管理監督する機関も別個である。事実、現状ではこれらの一元的な管理はなされておらず、本発明は動物の帰属情報と接種履歴とを対象とした点で極めて有用である。
【００５３】
本発明において、認証方法はＩＤとパスワードを用いる方法に限らず任意である。例えば動物病院や自治体に常設される端末装置の場合には毎回ＩＤやパスワードを入力するのではなく、サーバ装置（１０）に第３端末装置及び第４端末装置の各端末識別符号を予め記憶する方法でもよい。そして、ネットワーク（６）を通じた照会が、第３端末装置からの場合には第１のアクセス権限による照会、第４端末装置からの場合には第２のアクセス権限による照会とそれぞれ見なして返信を行うようにしてもよい。
【００５４】
本発明では、サーバ装置（１０）だけでなく、図１に示すようにサーバ装置（１０）が、識別符号管理機関のサーバ（４）や、予防清酒管理機関のサーバ（５）と通信するように構成してもよい。
すなわち、上記実施例の飼い主情報を識別符号管理機関（例えば日本獣医師会）のサーバ装置に送信することができる。本構成によれば、既存の「動物ＩＤ情報登録」のシステムと共存しながら、本発明を実施することができる。
【００５５】
また、上記動物個体管理方法において、サーバ装置（１０）が、帰属情報と予防接種履歴の内、少なくとも法定接種に係る予防接種履歴とを予防接種管理機関のサーバ（５）に送信するようにしてもよい。
この場合にも、既存の自治体における予防接種の登録、管理システムと共存しながら、本発明を実施することができる。
【００５６】
特に、上記識別符号管理機関サーバ（４）及び予防接種管理機関サーバ（５）の両方と、本サーバ装置（１０）との組み合わせは、蓄積済みの膨大なデータを活用しながら、本発明の効果を享受することができる点で有効である。
例えば従来、飼い主の氏名や住所に変更があった場合、ＭＣ番号と飼い主情報とを更新しても、自治体への登録は別に届け出る必要があったが、本発明によって一元的な管理が可能となり手続の簡素化や、運営者側においても確実な情報の管理に寄与する。
【００５７】
(予防接種通知に適用する実施例）
図６は、本発明システムの利用方法の一例として、予防接種通知のフローチャートである。現在、予防接種の通知は自治体が登録情報に基づいて飼い主に対して郵送等の手段で行っているが、本発明ではサーバ装置（１０）から電子メールを用いた送信を可能とする。
例えば、第４端末（３０）から予防接種履歴をサーバ装置（１０）に照会（Ｓ６１）すると、上記の認証処理を経て、識別符号と接種履歴を検索する。そして、前回の接種の有無や時期から接種時期に係る識別符号を抽出（Ｓ６２）する。
【００５８】
さらに、帰属情報を参照して、接種時期にある識別符号に対応するメールアドレスを照会（Ｓ６３）する。そして、サーバ装置（１０）が、帰属先の各アドレス情報に予防接種履歴に応じて予防接種の事前通知を送信（Ｓ６４）する。
ここでメールアドレスは、帰属先のネットワーク回線におけるアドレス情報であればインターネットのメールアドレスに限定されない。
【００５９】
(医療履歴情報の管理に適用する実施例）
図７は、本発明に係る医療履歴情報登録のフローチャートである。本実施例では、動物病院等の医療施設において用いられる医療履歴情報を取り扱う方法を説明する。サーバ装置（１０）とネットワーク（６）を通じて接続される医療施設端末装置（図示しない）を用いる。医療施設端末装置は、図３に示される端末装置（２０）及び図４に示される端末装置（３０）の各構成要素を共に備えており、一般的なコンピュータで実現される。
【００６０】
上記の動物個体管理方法の（Ｓ３）帰属情報記録ステップの後のいずれかの時点において、例えば診察や投薬などの医療行為が行われた際に、医療施設端末装置が、ＭＣ（識別符号記憶媒体）からＭＣ番号（識別符号）を読み取る。
そして、医療施設端末装置において、対象の個体に係る投薬履歴、疾病履歴、避妊去勢手術履歴、診察履歴、給餌履歴の少なくともいずれかの医療履歴情報を受理する（Ｓ３１）。
【００６１】
医療施設端末装置からはネットワーク（６）を通じてサーバ装置（１０）に識別符号と医療履歴情報とが関連付けられて送信（Ｓ３２）される。サーバ装置（１０）では医療履歴情報としてデータベース（１２）に記録（Ｓ３３）される。この一連の作業において、必ずしも帰属情報を医療施設端末で受理される必要はなく、帰属情報と切り離しての処理が可能であるが、サーバ装置（１０）では帰属情報と医療履歴情報との間でも関連づけられて記録されている。
【００６２】
その後の所定の契機、例えば別の診察の機会や、別の動物病院における診察の機会にＭＣ読取手段でＭＣ番号を読み取って、ネットワーク（６）を通じてサーバ装置（１０）に医療履歴情報の照会（Ｓ３４）を行うと、認証処理部（１１１）がデータベース（１２）へのアクセス権限を確認する。医療施設端末装置に割り当てられた第３のアクセス権限の場合にはＭＣ番号と医療履歴情報へのアクセスが許可されるので、データ書込・読出処理部（１１２）が対応する医療履歴情報を読み出す（Ｓ３５）。
【００６３】
医療施設端末装置にはデータ送信部（１１４）がネットワーク（６）を通じて医療履歴情報を返信（Ｓ３６）する。医療施設端末装置で受信した情報は、表示手段で表示したり、公知のデータ処理が行われて、例えば獣医師の医療行為等に活用される。
【００６４】
本実施例のように医療履歴情報を本発明のサーバ装置（１０）において識別符号と関連付けて管理することにより、動物の個体を確実に識別しながら、医療履歴を異なる場所、時間から参照することが可能となり、医療品質の向上、動物の健康増進に寄与する。
【００６５】
(保険加入情報の管理に適用する実施例）
図８は、本発明に係る保険加入情報登録のフローチャートである。本実施例では、動物用の保険を扱う保険会社等において用いられる保険用端末装置が保険加入情報を取り扱う方法を説明する。保険用端末装置は、図３に示される端末装置（２０）及び図４に示される端末装置（３０）の各構成要素を共に備えており、一般的なコンピュータで実現され、上記と同様ネットワーク（６）を通じてサーバ装置（１０）と接続されている。
【００６６】
動物個体管理方法の（Ｓ３）帰属情報記録ステップの後、保険の加入時に保険用端末装置が、ＭＣ（識別符号記憶媒体）からＭＣ番号（識別符号）を読み取る。
そして、保険用端末装置において、当個体に係る保険の保険加入情報、例えば動物の種類、年齢、性別、保険契約内容、保険期間、保険の加入者情報、代理店情報などを受理する（Ｓ４１）。
【００６７】
保険用端末装置からはネットワーク（６）を通じてサーバ装置（１０）に識別符号と保険加入情報とが関連付けられて送信（Ｓ４２）される。サーバ装置（１０）では帰属情報や予防接種履歴などと共に、保険加入情報としてデータベース（１２）に記録（Ｓ４３）される。
【００６８】
この際に例えば、保険の加入者情報と帰属情報を照合し、一致の有無だけを返信するようにしてもよい。この場合、保険用端末装置からは帰属情報自体にアクセスすることはできないが、入力した加入者情報と帰属情報とが一致するか否かの範囲内で情報の正確性を確認することができる。
【００６９】
その後の所定の契機、例えば保険を利用する際に動物病院で、あるいは保険契約を更新する際に代理店で保険用端末装置のＭＣ読取手段でＭＣ番号を読み取って、ネットワーク（６）を通じてサーバ装置（１０）に保険加入情報の照会（Ｓ４４）を行う。
サーバ装置（１０）の認証処理部（１１１）がデータベース（１２）へのアクセス権限を確認し、保険用端末装置に割り当てられた第４のアクセス権限の場合にはＭＣ番号と保険加入情報へのアクセスが許可されるので、データ書込・読出処理部（１１２）が対応する保険加入情報を読み出す（Ｓ４５）。
【００７０】
保険用端末装置にはデータ送信部（１１４）がネットワーク（６）を通じて保険加入情報を返信（Ｓ４６）する。保険用端末装置で受信した情報は、表示手段で表示したり、公知のデータ処理が行われて、動物病院における保険診療費用の請求や、保険契約の更新に必要な情報として利用される。
【００７１】
本実施例のように保険加入情報を本発明のサーバ装置（１０）において識別符号と関連付けて管理することにより、動物の個体を確実に識別することができる。従来の保険契約においては、動物の写真などで保険に加入した個体か否かを確認するにとどまり、特別な特徴がない限り保険の対象動物かどうかの判断が難しい問題があった。本実施例では、公的機関によって管理された識別符号媒体を活用しながら、他の機関が管理する情報にアクセスする必要なく、正確な個体の識別を行うことができる。
【００７２】
ところで、保険契約にあたっては既往歴の確認が必要であるが、動物の治療履歴は獣医師毎に保管されているため、飼い主の自己申告に頼らざるを得なかった。そのため、不適切な保険契約が行われたり、ひいては保険料の上昇など公平性が確保できない問題があった。
そこで、上記実施例に加えて、サーバ装置（１０）が、保険用端末装置から第４のアクセス権限により動物の識別符号についての照会を受けた場合には、対応する保険加入情報と共に上記で蓄積した医療履歴情報を保険用端末装置に返信するようにしてもよい。
【００７３】
この場合、保険用端末からは医療履歴情報を確認することができるので、投薬履歴や疾病履歴、避妊去勢手術履歴に基づいて、適切な保険契約を結ぶことができる。また、診察履歴、給餌履歴に基づいて保険料の割引など、保険サービスの向上にも寄与することができる。
【００７４】
（動物個体管理方法を用いた課金方法）
本発明は、次のような動物個体管理方法を用いた課金方法を提供することもできる。図９は本発明に係る課金方法の説明図である。図１０に示すように、獣医師が用いる第２端末装置（２０）において、ＭＣ（識別符号記憶媒体）を装着した特定の動物からＭＣ番号を読み取ると共に、新たな予防接種履歴を入力する。第２端末が接種履歴（９０）を受理（Ｓ７１）した後、サーバ装置（１０）に接種履歴（９０）が送信（Ｓ７２）されると、サーバ装置（１０）が獣医師に対する予防接種支払データ（９１）を生成（Ｓ７３）する。予防接種支払データ（９１）は、所有者や動物販売業者から預かった予防接種費用をサーバ装置の管理者や予防接種管理機関が獣医師に対して支払う際に利用される。
【００７５】
上述した通り、接種履歴（９０）は自治体などの予防接種管理機関サーバ（５）に送信（Ｓ７５）されるが、その際に予防接種管理機関における接種履歴の登録に係る登録費用の支払いデータ（予防接種管理機関支払データ）（９２）を生成（Ｓ７４）する。
予防接種管理機関サーバ（５）では、接種履歴（９０）を記録（Ｓ７６）する。
該支払データ（９２）に基づいて、予防接種管理機関がサーバ装置（１０）の管理者に登録費用の請求を行ったり、又はサーバ装置管理者から予防接種管理機関への支払に利用される。
【００７６】
本発明の課金方法は、識別符号管理機関との間で用いることもできる。
すなわち、図９及び図１１に示すように、動物販売業者が用いる第１端末装置（２０）において、ＭＣ（識別符号記憶媒体）を装着した特定の動物からＭＣ番号を読み取ると共に、購入者に係る新しい帰属情報（９３）を入力する。第１端末が帰属情報（９３）を受理（Ｓ８１）した後、サーバ装置（１０）に帰属情報（９３）が送信（Ｓ８２）されると、サーバ装置（１０）が動物販売業者に対する登録費用の課金データ（９４）を生成（Ｓ８３）する。課金データ（９４）は、動物販売業者への登録費用の請求に利用され、最終的には新所有者が動物販売業者に支払って負担する。
【００７７】
上述した通り、帰属情報（９３）は日本獣医師会などの識別符号管理機関サーバ（４）に送信（Ｓ８５）されるが、その際に識別符号管理機関における帰属情報の登録に係る登録費用の支払いデータ（識別符号管理機関支払データ）（９５）を生成（Ｓ８４）する。
識別符号管理機関サーバ（４）では、帰属情報（９３）を記録（Ｓ８６）する。
該支払データ（９５）に基づいて、識別符号管理機関がサーバ装置（１０）の管理者に登録費用の請求を行ったり、又はサーバ装置管理者から識別符号管理機関への支払に利用される。
【００７８】
さらに上記の課金方法において、動物販売業者が用いる第１端末装置（２０）から、ＭＣを装着した特定の動物について新所有者の情報を帰属情報（９３）が送信され、サーバ装置（１０）が新しい帰属情報を受信すると動物販売業者に対する販売業者課金データ（９４）を生成すると共に、サーバ装置（１０）が、予防接種管理機関のサーバ装置（５）に、識別符号と予防接種履歴（９０）を送信すると共に、予防接種管理機関への予防接種管理機関支払データ（９２）を生成する構成でもよい。
本構成によれば、動物販売業者が販売前に予防接種を行った場合にも、マイクロチップの登録費用と、予防接種履歴の登録費用との支払データを合わせて生成することができる。
【００７９】
本発明のサーバ装置（１０）に蓄積された情報は、さまざまな用途に活用可能である。例えば、犬のブリーダーにおいて子犬が生まれた時にＭＣを装着すれば、誕生直後からのトレーサビリティが可能となる。その後の医療履歴情報をブリーダーに提供することで、先天的な疾患情報をブリーダーにフィードバックし、健全な生体の出荷に寄与することができる。
【００８０】
また、ブリーダーから動物販売業者、動物病院が識別符号と帰属情報や予防接種の登録に関与することで動物個体に対するフォローを一連の流れとして行うことができる。また、動物の健康状態に合わせたフードや、保険、予防薬などの情報を所有者に提供するなど顧客管理に用いることもできる。
【符号の説明】
【００８１】
１    動物個体管理システム
２    飼い主
３    獣医師
４    識別符号管理機関サーバ
５    予防接種管理機関サーバ
１０    動物個体管理サーバ
【図１】
2015208234.tif 000003
【図２】
2015208234.tif 000004
【図３】
2015208234.tif 000005
【図４】
2015208234.tif 000006
【図５】
2015208234.tif 000007
【図６】
2015208234.tif 000008
【図７】
2015208234.tif 000009
【図８】
2015208234.tif 000010
【図９】
2015208234.tif 000011
【図１０】
2015208234.tif 000012
【図１１】
2015208234.tif 000013